(57)【要約】      （修正有）【課題】トライフットボール競技場に関し、特に既存のプール等の施設を利用することによって、トライフットボール競技施設を建設する際のコストを抑え、かつ競技の観戦に階段状の観客席等を設けることなく、競技を観戦することができるトライフットボール施設を構築する。また、より少ない人数でフットボールを楽しむことができるトライフットボールに親しむ機会を与える。【解決手段】既存の設備を利用したトライフットボール競技場１であって、競技の観戦位置３より低い位置に必然的に形成されたコート２の両側に作成されたゴール部５と、ゴール部５を取り付ける構造体と、コート２を構成する、上記既存の設備の周囲に設けられた弾性部材１５とを有する。【選択図】図１
2012120598.tif 000002
【特許請求の範囲】
【請求項１】
既存の設備を利用したトライフットボール競技場において、
競技の観戦位置より低い位置に必然的に形成されたコートの両側に作成されたゴール部と、
該ゴール部を取り付ける構造体と、
前記コートを構成する、前記既存の設備の周囲に設けられた弾性部材と、
を有することを特徴とするトライフットボール競技場。
【請求項２】
前記既存の設備は、屋内又は屋外に設けられたプールであることを特徴とする請求項１に記載のトライフットボール競技場。
【請求項３】
前記コートからボールが外に飛び出すことを防止するネットを設けたことを特徴とする請求項１、又は２に記載のトライフットボール競技場。
【請求項４】
既存の設備を利用したトライフットボール競技場の設置方法において、
競技の観戦位置より低い位置に必然的に形成されたコートの両側にゴール部を設ける処理と、
該ゴール部を取り付ける構造体を作成する処理と、
前記コートを構成する、前記既存の設備の周囲に弾性部材を取り付ける処理と、
を行なうことを特徴とするトライフットボール競技場の設置方法。
【請求項５】
前記既存の設備は、屋内又は屋外に設けられたプールであることを特徴とする請求項４に記載のトライフットボール競技場の設置方法。
【請求項６】
前記コートからボールが外に飛び出すことを防止するネットを設けたことを特徴とする請求項４、又は５に記載のトライフットボール競技場。
【発明の詳細な説明】
【技術分野】
【０００１】
本発明は、近年少ない人数で競技を行なうことができるトライフットボールの競技場に関する。
【背景技術】
【０００２】
今日、サッカーブームに伴い、少ない人数で競技を楽しむことができるフットサルが人気を集めている。フットサルは、基本的に５人制のサッカーであり、欧州や南米では古くから行われているスポーツである。フィールドの広さが１１人制サッカーの約１／９であり、場所の確保が容易である等の理由によって近年競技人口も増加している。
【０００３】
フットサル用の施設としては、例えば特許文献１に係る発明がある。この発明はフットサルコートを屋内に設け、観覧し易い構造とすることによって、雨天時でも競技を行い、例えば施設の稼働率を上げる発明である。
【０００４】
また、特許文献２に係る発明は、空間を使用してプレーを楽しむためのフットサルコートの発明であり、真上からみると円形、断面でみると半楕円形の、半楕円球面状に成形した強化プラスチックの外枠の内側に人工芝を貼り付け、互いに向かい合う両側に、円周部の一部をへこませて、マットを取り付けることによってゴールを設置する。また、コートの最も高い位置に、同心円状に平面部分を設け、第三者が立ち入れるスペースとし、外周部から螺旋階段を設けて、コート内外に出入りできるようにする。さらに、外周部から弓状のパイプを渡して天頂部とし、ネットを張ってボールが外に出るのを防ぐ構造である。
【先行技術文献】
【特許文献】
【０００５】
【特許文献１】特開２０１０−６５４３２号公報
【特許文献２】特開２０１０−２４０４５９号公報
【発明の概要】
【発明が解決しようとする課題】
【０００６】
しかしなから、上記特許文献１に係る発明では、競技を観戦するためには、例えば階段状の観客席を設けなければならない。また、許文献２に係る発明では、構造が複雑であり、競技場を構築するための費用がかかる。
一方、近年より少ない人数でフットボールを楽しむことができるスポーツも要望されている。
【０００７】
そこで、本発明は、例えば既存のプール等の施設を利用することによって、トライフットボール施設を建設する際のコストを抑え、かつ競技の観戦に階段状の観客席等を設けることなく、競技を観戦することができるトライフットボール施設を構築するものである。
また、トライフットボール競技場を本発明によって提案することによって、より少ない人数でフットボールを楽しむことができるスポーツに親しむ機会を与えることができる。
【課題を解決するための手段】
【０００８】
上記課題は第１の発明によれば、既存の設備を利用したトライフットボール競技場において、競技の観戦位置より低い位置に必然的に形成されたコートの両側に作成されたゴール部と、該ゴール部を取り付ける構造体と、前記コートを構成する、前記既存の設備の周囲に設けられた弾性部材とを有するトライフットボール競技場を提供することによって達成できる。
【０００９】
また、上記課題は第２の発明によれば、前記既存の設備は、屋内又は屋外に設けられたプールであるトライフットボール競技場を提供することによって達成できる。
また、上記課題は第３の発明によれば、前記コートからボールが外に飛び出すことを防止するネットを設けたトライフットボール競技場を提供することによって達成できる。
【００１０】
また、上記課題は第４の発明によれば、既存の設備を利用したトライフットボール競技場の設置方法において、競技の観戦位置より低い位置に必然的に形成されたコートの両側にゴール部を設ける処理と、該ゴール部を取り付ける構造体を作成する処理と、前記コートを構成する、前記既存の設備の周囲に弾性部材を取り付ける処理とを行なうトライフットボール競技場の設置方法を提供することによって達成できる。
【００１１】
また、上記課題は第５の発明によれば、前記既存の設備は、屋内又は屋外に設けられたプールであるトライフットボール競技場の設置方法を提供することによって達成できる。
また、上記課題は第６の発明によれば、前記コートからボールが外に飛び出すことを防止するネットを設けたトライフットボール競技場を提供することによって達成できる。
【発明の効果】
【００１２】
本発明によれば、プール等の既存の施設を利用でき、コストを抑えて競技の観戦も容易なトライフットボール競技場を提供するものである。また、より少ない人数でフットボールを楽しむことができるスポーツであるトライフットボールに親しむ機会を与えるものである。
【図面の簡単な説明】
【００１３】
【図１】第１の実施形態のトライフットボール競技場の全体図である。
【図２】第１の実施形態のトライフットボール競技場の全体図である。
【図３】トライフットボールの両側に設けられたゴールの構成を示す図である。
【図４】スペースの構成を説明する図である。
【図５】構造体の構造を説明する図である。
【図６】下り階段近傍の状態を示す図である。
【図７】第２の実施形態のトライフットボール競技場の全体図である。
【図８】第２の実施形態のトライフットボール競技場の全体図である。
【発明を実施するための形態】
【００１４】
以下、図面を参照しながら本発明の実施の形態について説明する。
（第１の実施形態）
図１及び図２は、第１の実施形態のトライフットボール競技場１の全体図である。尚、図１はトライフットボール競技場１の一方（右側）を示し、図２はトライフットボール競技場１の他方（左側）を示す。本施設は、例えば屋内プールを改装してトライフットボール競技場１とする構成である。このため、トライフットボールコート（以下、単にコートで示す）２の位置は競技を観戦する、所謂プールサイドより、例えば１，５ｍ程度低い位置であり、階段状の観覧席等を設けなくても観戦が容易である。尚、以下の説明において、所謂プールサイドの位置を競技の観戦位置３として示す。
【００１５】
したがって、図１及び図２に示すように本例のトライフットボール競技場１における競技の観戦位置３はコート２を囲む四方に必然的に設けられる。すなわち、競技の観戦位置３に既存の椅子を並べるだけで観覧席を設置することができる。したがって、本件特許出願に係る発明によれば、前述の特許文献１に係る発明のように、階段状の観覧席を特別に設置することなく観戦し易い観覧席が設けられる。また、前述の特許文献２に係る発明のように大掛かりな設備を構築することなく、コストの掛からないトライフットボール競技場１を構築することができる。
【００１６】
また、コート２のサイズは、縦方向が２５ｍ〜４２ｍ、横方向が１５ｍ〜２５ｍの大きさであるが、本例におけるコート２は、既存のプールを使用するので、既存のプールサイズに対応したものとなる。
【００１７】
また、図１及び図２に示すように、コート２には中央にハーフウェーライン４が表示され、ゴール５から所定範囲のペナルティーエリアを示すライン６も表示されている。
【００１８】
図３はコート２の両側に設けられたゴール５の構成を示す図である。ゴール５は高さ９０ｃｍ、幅１８０ｃｍであり、既存のプールの両側のコンクリート部分を加工して設けることもできるが、コスト面から既存のプールの構造に加工を加えることなく、内側に数十ｃｍのスペースを設けてゴール５を作成している。
【００１９】
図４はこの構造を示す図である。同図に示すように、既存のプールの側面８から数十ｃｍのスペース９を形成し、このスペース９にゴール５を設けている。具体的には、スペース９に構造体１０を配設し、この構造体１０にゴール５を取り付ける構造である。図５はこの構造体１０の例であり、複数のフレーム１２を三角状に溶接又は締接し、ゴール５の位置をフレーム１３によって形成している。また、フレーム１３にはネット１４が取り付けられている。尚、上記ゴール５の構造は、コート２の両側において同じ構造である。
【００２０】
また、コート２側の構造体１０には、ウレタンマット等の弾性部材１５が取り付けられている。この弾性部材１５の取り付けは競技者の安全のためであり、従ってプールサイドの側面全体に渡って取り付けられている。
図６は競技の観戦位置２からコート２に降りる階段１６を示す図であり、前述のスペース９を利用して設けられている。尚、この階段１６はスペース９を利用するので、コート２の両側に設けてもよい。
【００２１】
本例は室内に設けられた既存のプールを利用する例について説明したが、屋外の既存のプールを利用して、トライフットボール競技場を設置することもできる。すなわち、屋内の場合と同様、既存のプールの両側に前述と同様の構造体１０を設け、この構造体１０にゴール５を設置し、周囲を弾性部材１５によって保護することによって、競技者は安全に競技を行なうことができる。このように構成することによっても、前述の特許文献１に係る発明のように、階段状の観覧席を特別に設置することなく、また特許文献２に係る発明のように大掛かりな設備を構築する必要もなく、コストの掛からないトライフットボール競技場を構築することができる。
【００２２】
また、本例のトライフットボール競技場に利用する屋内、及び屋外の施設はプールに限るものではなく、高低を有する構造体であれば利用可能である。
【００２３】
さらに、前述の構造体１０を平地に設置し、トライフットボール競技場を設置してもよい。また、広いスペースを有する屋内施設に構造体１０を設置し、屋内トライフットボール競技場を構築することもできる。
また、トライフットボールは、より少ない人数でフットボールを楽しむことができるスポーツであり、本実施形態のようなトライフットボール競技場が各地にできることによって、よりスポーツの振興を図ることができる。
【００２４】
（第２の実施形態）
図７及び図８は、第２の実施形態のトライフットボール競技場２０の全体図である。尚、図７はトライフットボール競技場２０の一方（右側）を示し、図８はトライフットボール競技場２０の他方（左側）を示す。本施設は、前述のトライフットボール施設と同様、例えば屋内プールを改装してトライフットボール競技場２０とする構成である。このため、本例もコート２の位置は競技を観戦する、所謂プールサイドより低い位置であり、階段状の観覧席等を設けなくても観戦が容易である。
【００２５】
本実施形態において前述の実施形態と異なる構成は、観戦位置３の手前、即ちプールサイドの手前にネット２３を設けた構成である。このように構成することにより、コート２からボールが観覧席に飛び出すことを防止することができる。したがって、コート２からボールが外に飛び出すことによる試合の中断がなく、トライフットボールの試合を楽しむことができる。
【００２６】
尚、ネット２３はコート２の四隅と途中に設けられたポール２４、及びポール２４間に設けられた横フレーム２５に取り付けられ、ボールの飛び出しを阻止する。また、ポール２４の高さは、例えば６ｍ程度であるが、ネット２３を天井まで伸ばす構造としてもよい。
【００２７】
また、本例においても、室内に設けられた既存のプールを利用する場合に限らず、屋外プールを利用してトライフットボール施設を設置する場合にも適用できる。すなわち、屋内の場合と同様、屋外のプールの両側に前述と同様の構造体を設け、更にプールサイドの手前にネットを設け、コートからのボールの飛び出しを防止する。
【符号の説明】
【００２８】
１・・・トライフットボール競技場
２・・・トライフットボールコート
３・・・観戦位置
４・・・ハーフウェーライン
５・・・ゴール
６・・・ライン
８・・・プールの側面
９・・・スペース
１０・・構造体
１２・・フレーム
１３・・フレーム
１５・・弾性部材
１６・・階段
２０・・トライフットボール競技場
２３・・ネット
２４・・ポール
２５・・横フレーム
【図１】
2012120598.tif 000003
【図２】
2012120598.tif 000004
【図３】
2012120598.tif 000005
【図４】
2012120598.tif 000006
【図５】
2012120598.tif 000007
【図６】
2012120598.tif 000008
【図７】
2012120598.tif 000009
【図８】
2012120598.tif 000010